(57)【要約】【課題】使用の際に物体を効率的に乾燥させ、経済的に製造できる乾燥装置の提供。【解決手段】乾燥装置は、ケーシング（１２）、ケーシング（１２）内に形成されていて、物体を受け入れるキャビティ（１２）、及びケーシング（１２）内に設けられていて、空気流を生じさせることができるファン（４０）を有する。少なくとも１つのスロット状開口部（６０，６２）が、ファン（４０）と連通した状態でケーシング（１２）に設けられていて、キャビティ（３０）を横切って空気流を横断方向に差し向けるようになっている。スロット状開口部（６０，６２）は、熱硬化性プラスチック材料で作られた壁（５４ａ，５４ｂ，５６ａ，５６ｂ）相互間に形成されている。【選択図】図３
2009502388.tif 000002
【特許請求の範囲】
【請求項１】
乾燥装置であって、ケーシングと、前記ケーシング内に形成されていて、物体を受け入れるキャビティと、前記ケーシング内に設けられていて、空気流を生じさせることができるファンと、前記ファンと連通していて、前記キャビティを横切って空気流を横断方向に差し向けるよう前記ケーシングに設けられた少なくとも１つのスロット状開口部とを有し、前記スロット状開口部は、熱硬化性プラスチック材料で作られた壁相互間に形成されている、乾燥装置。
【請求項２】
前記壁は、メラミンで作られている、請求項１記載の乾燥装置。
【請求項３】
前記スロット状開口部は、０．５ｍｍ以下の最大幅を有する、請求項１又は２記載の乾燥装置。
【請求項４】
前記スロット状開口部の幅は、少なくとも０．３ｍｍである、請求項３記載の乾燥装置。
【請求項５】
前記スロット状開口部の幅は、０．４ｍｍ以下である、請求項４記載の乾燥装置。
【請求項６】
前記スロット状開口部は、その長さに沿って一定の幅を有する、請求項１〜５のうちいずれか一に記載の乾燥装置。
【請求項７】
少なくとも１つの立上り部材が、前記スロット状開口部の、対向した壁相互間に設けられている、請求項１〜６のうちいずれか一に記載の乾燥装置。
【請求項８】
前記立上り部材は、前記壁の一方と一体に形成されている、請求項７記載の乾燥装置。
【請求項９】
前記立上り部材は、前記乾燥装置が使用状態にあるとき、前記スロット状開口部を通って放出された空気流への乱流の導入を最小限に抑えるよう形作られている、請求項７又は８記載の乾燥装置。
【請求項１０】
前記立上り部材は、断面が涙滴の形をしている、請求項９記載の乾燥装置。
【請求項１１】
前記立上り部材は、前記スロット状開口部から所定の距離を置いたところに位置決めされている、請求項７〜１０のうちいずれか一に記載の乾燥装置。
【請求項１２】
前記立上り部材は、前記スロット状開口部から１０ｍｍ以下の距離を置いたところに位置決めされている、請求項１１記載の乾燥装置。
【請求項１３】
前記立上り部材は、前記スロット状開口部から実質的に２．５ｍｍの距離を置いたところに位置決めされている、請求項１２記載の乾燥装置。
【請求項１４】
前記熱硬化性プラスチック材料は、抗菌性を有する、請求項１〜１３のうちいずれか一に記載の乾燥装置。
【請求項１５】
２つの対向したスロット状開口部が設けられ、前記スロット状開口部の各々は、前記キャビティの前壁及び後壁の各々にそれぞれ設けられている、請求項１〜１４のうちいずれか一に記載の乾燥装置。
【請求項１６】
前記乾燥装置は、ハンドドライヤである、請求項１〜１５のうちいずれか一に記載の乾燥装置。
【発明の詳細な説明】
【技術分野】
【０００１】
本発明は、ユーザの手を乾燥させるよう幅の狭い高速高圧空気流を利用するドライヤ又は乾燥装置に関する。
【背景技術】
【０００２】
手を乾燥させるために空気ジェットを利用することは、周知である。手を乾燥させる目的で少なくとも１つの空気ジェットを放出する少なくとも１つのスロット状開口部を備えたハンドドライヤの例が、独国特許出願公開第２，２４９，０２６号明細書、日本国特許出願公開第２００２−０３４８３５号公報及び日本国特許出願公開第２００２−３０６３７０号公報に記載されている。
【０００３】
【特許文献１】独国特許出願公開第２，２４９，０２６号明細書
【特許文献２】日本国特許出願公開第２００２−０３４８３５号公報
【特許文献３】日本国特許出願公開第２００２−３０６３７０号公報
【発明の開示】
【発明が解決しようとする課題】
【０００４】
しかしながら、かかる乾燥装置の効率的な作動は、設けられるスロット状開口部がその長さに沿って一定の幅を有しているかどうかで決まる。かかる開口部の費用効果の良い製作を行っても、特に開口部を通って放出される空気流が比較的高温状態にある場合、或る特定の問題が生じる。一般に、先行技術の装置のスロット状開口部は、金属（例えば、ステンレス鋼又はアルミニウム）で作られており、それにより、製品の材料費が増大する。
【０００５】
本発明の目的は、使用の際に物体を効率的に乾燥させ、先行技術の装置よりも製造するのが経済的な乾燥装置を提供することにある。本発明のもう１つの目的は、製造費が先行技術と比較して減少した改良型ハンドドライヤを提供することにある。
【課題を解決するための手段】
【０００６】
本発明は、乾燥装置であって、ケーシングと、ケーシング内に形成されていて、物体を受け入れるキャビティと、ケーシング内に設けられていて、空気流を生じさせることができるファンと、ファンと連通していて、キャビティを横切って空気流を横断方向に差し向けるようケーシングに設けられた少なくとも１つのスロット状開口部とを有し、スロット状開口部は、熱硬化性プラスチック材料で作られた壁相互間に形成されていることを特徴とする乾燥装置を提供する。
【０００７】
スロット状開口部の壁を熱硬化性プラスチック材料、例えばメラミンで作ることにより、スロット状開口部の壁を、金属からの機械加工に代えて、経済的に成形することができる。熱硬化性プラスチック材料は、成形時における寸法安定性があり、耐熱性があり、しかも耐衝撃性がある。
【０００８】
好ましくは、スロット状開口部は、０．５ｍｍ以下、より好ましくは０．３ｍｍ〜０．４ｍｍの最大幅を有する。好ましい実施形態では、スロット状開口部は、その長さに沿って一定の幅を有する。
【０００９】
少なくとも１つの立上り部材が、スロット状開口部の、対向した壁相互間に設けられることが、好ましい。立上り部材は、好ましくは、乾燥装置が使用状態にあるとき、スロット状開口部を通って放出された空気流への乱流の導入を最小限に抑えるよう形作られている。
【発明を実施するための最良の形態】
【００１０】
次に、添付の図面を参照して本発明の実施形態について説明する。
【００１１】
まず最初に図１及び図２を参照すると、図示のハンドドライヤ１０は、前壁１４、後壁１６、上方フェース１８及び側壁２０，２２を備えた外側ケーシング１２を有している。後壁１６は、ハンドドライヤ１０を使用に先立って壁又は他の構造体に固定する固定器具（図示せず）を有するのが良い。電気接続部（図示せず）も又、後壁又はケーシング１２のどこかの場所に設けられる。キャビティ３０が、図１及び図２から理解できるように、ケーシング１２の上方部分内に形成されている。キャビティ３０は、その上端部が開口し且つ前壁１４の頂部及び上方フェース１８の前部により画定されている。前壁１４の頂部と上側フェース１８の前部との間の空間は、キャビティ入口３２を形成しており、このキャビティ入口は、ユーザの手をキャビティ入口３２からキャビティ３０に導入することができるほど十分幅が広い。キャビティ３０は又、側壁２０，２２の適当な付形によりハンドドライヤ１０の両側に開口している。
【００１２】
キャビティ３０は、キャビティ３０の前部及び後部をそれぞれ画定する前壁３４及び後壁３６を有している。キャビティ３０の最も下の端部には、ドレン又は水抜き３８が設けられ、この水抜きは、ケーシング１２の下方部分内に設けられたリザーバ（図示せず）と連通している。水抜き及びリザーバの目的については以下に説明する。
【００１３】
図３に示すように、モータ（図示せず）が、ケーシング１２内に設置され、モータにより駆動されるファン４０も又、ケーシング１２内に設置されている。モータは、電気接続部に接続され、コントローラ４１によって制御される。ファン４０の入口４２は、ケーシング１２に形成された空気入口４４と連通している。フィルタ４６が、空気入口４４をファン入口４２に連結する空気通路内に配置されていて、モータ又はファン４０の損傷を生じさせる恐れのあるデブリの流入を阻止するようになっている。ファン４０の出口は、ケーシング１２内に設けられた１対の空気ダクト５０，５２と連通している。前側空気ダクト５０は、主として、ケーシング１２の前壁１４とキャビティ３０の前壁３４との間に配置され、後側空気ダクト５２は、主として、ケーシング１２の後壁１６とキャビティ３０の後壁３６との間に配置されている。
【００１４】
空気ダクト５０，５２は、ファン４０からの空気を１対の対向したスロット状開口部６０，６２に導くよう配置されており、これらスロット状開口部は、それぞれ、キャビティ３０の前壁３４及び後壁３６に設けられている。スロット状開口部６０，６２は、キャビティ入口３２の付近でキャビティ３０の上端部のところに配置されている。スロット状開口部６０，６２は、各々、全体としてキャビティ入口３２を横切って空気流をキャビティ３０の反対側の壁に向かって差し向けるよう構成されている。スロット状開口部６０，６２は、垂直方向にずらされると共にキャビティ３０のベースに向かって傾けられている。
【００１５】
図４は、空気ダクト５０，５２の上端部及びスロット状開口部６０，６２を詳細に示している。理解できるように、空気ダクト５０の壁５４ａ，５４ｂは、スロット状開口部６０を形成するよう狭まっており、空気ダクト５２の壁５６ａ，５６ｂは、スロット状開口部６２を形成するよう狭まっている。これ以上の詳細は、図５及び図６で理解できる。図５は、スロット状開口部６０がＷ１の幅を有することを示し、図６は、スロット状開口部６２がＷ２の幅を有することを示している。スロット状開口部６０の幅Ｗ１は、スロット状開口部６２の幅Ｗ２よりも小さい。幅Ｗ１は、０．３ｍｍであり、幅Ｗ２は、０．４ｍｍである。
【００１６】
スロット状開口部６０，６２の壁５４ａ，５４ｂ，５６ａ，５６ｂは、熱硬化性プラスチック材料又は熱硬化性樹脂で成形されている。これら材料は、成形プロセスを受けたときに寸法安定性があり、しかも所要の温度における耐熱性がある。スロット状開口部６０，６２から出た空気流がモータを通過することによって温められるに過ぎないということが意味することは、壁５４ａ，５４ｂ，５６ａ，５６ｂが、ハンドドライヤの通常の使用中、空気流の温度による影響を受けにくいということを意味する。熱硬化性プラスチック材料は又、耐衝撃性があり、このことは、壁５４ａ，５４ｂ，５６ａ，５６ｂが、ハンドドライヤの通常の使用の結果として生じる衝撃に耐え得るということを意味する。
【００１７】
壁５４ａ，５４ｂ，５６ａ，５６ｂは、圧縮成形により形成される。図示の実施形態では、壁５４ａ，５４ｂ，５６ａ，５６ｂを形成するために用いられる材料は、メラミンである。ただし、他の材料、例えばユリアホルムアルデヒド及びフェノール樹脂も又使用できる。壁５４ａ，５４ｂ，５６ａ，５６ｂの材料は又、抗菌性成分か抗菌性物質の被膜かのいずれかの形態で得られる抗菌性を有する。
【００１８】
センサ６４が、スロット状開口部６０，６２のすぐ下でキャビティ３０の前壁３４及び後壁３６内に位置決めされている。これらセンサ６４は、キャビティ入口３２を経てキャビティ３０内に挿入されたユーザの手の存在を検出し、これらセンサは、ユーザの手がキャビティ３０に導入されると、信号をモータに送るよう構成されている。図１及び図３から理解できるように、ダクト５０，５２の壁５４ａ，５４ｂ，５６ａ，５６ｂは、キャビティ３０の前壁３４及び後壁３６の表面を僅かに越えて突き出ている。ダクト５０，５２の壁５４ａ，５４ｂ，５６ａ，５６ｂの内方突出により、ユーザの手がキャビティの壁３４，３６のうちの一方又は他方に向かって吸い込まれる傾向が減少し、それにより、ハンドドライヤ１０の使いやすさが向上する。また、センサ６４をダクト５０，５２の内方に突き出た壁５４ａ，５４ｂ，５６ａ，５６ｂのすぐ下に位置決めすることにより、センサ６４が汚れて働かなくなる恐れが減少する。
【００１９】
図２から理解できるように、キャビティ入口３２の形状は、前縁部３２ａが全体として真っ直ぐであり、ハンドドライヤ１０の幅全体にわたり側方に延びるようなものである。しかしながら、後縁部３２ｂは、２つの湾曲した部分３３から成る形状を有し、これら湾曲部分は、１対の人の手をキャビティ入口３２からキャビティ３０内に下方に挿入しているときに１対の人の手の甲の形状を全体としてなぞる。キャビティ入口３２の後縁部３２ｂは、ハンドドライヤ１０の中心線に関し実質的に対称である。キャビティ入口３２の前縁部３２ａ及び後縁部３２ｂの付形及び寸法決めの意図は、ユーザの手をキャビティ入口３２からキャビティ３０内に挿入したときに、ユーザの手の上の任意の点から最も近くに位置するスロット状開口部までの距離が、実質的に一定であるということにある。
【００２０】
図７ａは、図５及び図６に示すスロット状開口部の一方の別の形態を示している。この別の形態では、スロット状開口部１６０は、軸線１８０に沿って互いに近づく２つの壁１５４ａ，１５４ｂ相互間に形成されている。各壁１５４ａ，１５４ｂの下流側端部は、シャープなコーナ部がスロット状開口部１６０の最も近くに位置する縁部のところに形成されるが、スムーズに湾曲した縁部がスロット状開口部１６０から見て遠くに位置する縁部のところに形成されるよう形作られている。シャープな縁部は、乱流を減少させると共に空気流がスロット状開口部を出るときの空気流の速度を維持するのを助け、これに対し、湾曲した縁部は、物体が突出した壁１５４ａ，１５４ｂに引っ掛かるようになる恐れを減少させる。
【００２１】
壁１５４ａ，１５４ｂは各々、軸線８０に対して７°の角度をなして傾けられており、壁１５４ａ，１５４ｂ相互間に１４°の角度が与えられている。これは、空気流がスロット状開口部１６０を出る際に高いレベルの運動量を維持する空気流を生じさせる上で特に効果的であることが判明した。壁１５４ａ，１５４ｂ相互間の角度は、所望ならば、１０°から２０°の範囲でばらつきがあっても良いが、１４°が有利であることが判明した。
【００２２】
図７ａに示す構成では、立上り部材８２が、壁１５４ａ，１５４ｂ相互間に配置されている。この立上り部材１８２は、ハンドドライヤにとって必要なちょうど正しい間隔を置いて位置する２つの壁１５４ａ，１５４ｂを補強するよう構成されている。立上り部材１８２は、上側の壁１５４ａと一体に成形され、この立上り部材を製造プロセス中、下側の壁１５４に当接させる。下側の壁１５４ｂは、立上り部材１８２が当接する専用の付形部（図示せず）を有するのが良い。
【００２３】
立上り部材１８２は、断面が図７ｂ及び図７ｃのうちのいずれかに示すように形作られている。本質的には、立上り部材１８２の断面領域は、各側がエーロフォイルの上半分に似た涙滴の形をしている。この形状は、壁１５４ａ，１５４ｂ相互間を通る空気流が空気流中に生じる乱流の量を最小限に抑えた状態で立上り部材１８２を通過できるように設計されている。具体的に説明すると、立上り部材１８２は、丸形の上流側端部１８２ａ及び細長い下流側の端部１８２ｂを有している。立上り部材１８２の横幅は、図７ｂ及び図７ｃから理解できるように様々であって良い。
【００２４】
立上り部材１８２は、これが壁１５４ａ，１５４ｂのうちの一方と合体し又は繋がる箇所のところに、スムーズに湾曲した結合部（図７ａ参照）が形成されるように形作られている。これは、成形プロセス中に達成できる。また、立上り部材１８２は、その下流側端部１８２ｂがスロット状開口部１６０から所定の距離を置いたところに位置するよう位置決めされている。図示の実施形態では、この所定の距離は、実質的に２．５ｍｍであるが、これは、最大１０ｍｍまで様々であって良い。
【００２５】
上述したハンドドライヤ１０に設けられたスロット状開口部６０，６２の各々に沿って複数個の立上り部材１８２を所々に位置決めしても良い。スロット状開口部６０，６２の各々に沿って位置決めされる立上り部材１８２の好ましい数は、３つである。各立上り部材１８２は、立上り部材１８２の下流側端部とスロット状開口部６０，６２との間の距離が同一であるように位置決めされる。
【００２６】
上述のハンドドライヤ１０は、次のように稼働する。ユーザの手をまず最初にキャビティ入口３２からキャビティ３０内に挿入すると、センサ６４は、ユーザの手の存在を検出し、信号をモータに送ってファン４０を駆動する。ファン４０は、このようにして動作状態になり、空気が、毎秒約２０〜４０リットルの量、好ましくは毎秒少なくとも２５〜２７リットルの量で空気入口４４を経てハンドドライヤ１０内に吸い込まれ、より好ましくは、空気は、毎秒３１〜３５リットルの量でハンドドライヤ１０内に吸い込まれる。空気は、フィルタ４６を通過し、そしてファン入口４２に沿ってファン４０へ流れる。ファン４０を出た空気流は、２つの別々の空気流に分割され、一方は、前側空気ダクト５０に沿ってスロット状開口部６０に至り、他方は、後側空気ダクト５２に沿ってスロット状開口部６２まで至る。
【００２７】
空気流が立上り部材１８２に出会うと、空気流は、分かれて立上り部材１８２に沿って流れ、その後、それぞれの立上り部材１８２の下流側端部をいったん通過すると、再び一緒になる。次に、空気流は、高速高圧空気の非常に薄い層状シートの形態でスロット状開口部６０，６２から噴出される。空気流がスロット状開口部６０，６２を出るとき、空気圧は、少なくとも１５ｋＰａであり、好ましくは約２０〜２３ｋＰａである。さらに、スロット状開口部６０，６２を出る空気流の速度は、少なくとも８０ｍ／ｓであり、好ましくは少なくとも１００又は１５０ｍ／ｓ、より好ましくは約１８０ｍ／ｓである。後側ダクト５２の端部のところに設けられたスロット状開口部６２のサイズは、前側ダクト５０の端部のところに設けられたスロット状開口部６０のサイズよりも大きいので、ダクト５０からよりもダクト５２からの方が多量の空気が放出される。これにより、ユーザの手の甲を乾燥させるための空気の量を多くすることができ、このことは、有利である。
【００２８】
層状高速高圧空気の２つの薄いシートは、使用の際にキャビティ３０内に完全に挿入され、次に、キャビティ入口３２を経てキャビティ３０から引っ込められるユーザの手の両面に向かって差し向けられる。ユーザの手がキャビティ３０に出入りしているとき、空気のシートは、存在している水をユーザの手から吹き飛ばす。これは、スロット状開口部６０，６２を出る空気の運動量が高いので確実且つ効率的に達成される。
【００２９】
空気の各層状シートは、それぞれの空気のシートを放出するスロット状開口部から見て遠くに位置するキャビティ３０の壁に向かって差し向けられる。スロット状開口部６０，６２は又、キャビティ３０の最も下の端部に向かって傾けられているので、放出された空気流は、キャビティ３０内に差し向けられる。これにより、乱流状態の空気の運動がケーシングの外部に位置するユーザにより、例えばユーザの顔面で感じられる恐れが減少する。
【００３０】
ユーザの手を満足の行く程度まで乾燥させるのに上述したハンドドライヤの僅かな回数の「パス」しか必要としないことが想定される。（「パス」という用語は、本出願人によれば、キャビティ内への手の１回の挿入及びその後における平均的なユーザには許容限度を超えるほどではない速度でのキャビティからの取り出しを意味している。本出願人は、単一のパスが３秒以下の持続時間を有することを想定している。）空気流により達成される運動量は、単一のパス中、洗浄後にユーザの手の表面上に見られる水の大部分を除去するのに十分である。
【００３１】
空気流により除去される水は、キャビティ３０内に集められる。各空気流は、いったんユーザの手を通過すると、その運動量を迅速に失い、水滴は、重力の作用を受けてキャビティ３０の下端部に落下し、これに対し、空気は、キャビティ入口３２を通るかキャビティ３０の開放側部を経由するかのいずれかでキャビティ３０から出る。しかしながら、水は、水抜き３８により集められ、リザーバ（図示せず）に運ばれ、ここで、処分のために集められる。リザーバを所望ならば手作業で空にするのが良い。変形例として、ハンドドライヤ１０は、或る形態の水分散システムを有するのが良く、かかる水分散システムとしては、例えば、集めた水を蒸発させて大気中に放出するヒータが挙げられる。集めた水を分散させる手段は、本発明の要部をなさない。
【００３２】
変形実施形態では、スロット状開口部６０，６２は、これらから放出される空気のシートが全体として、実質的に互いに平行な平面に沿って差し向けられるよう配置されても良い。これにより、乾燥装置の使用中、キャビティ３０内に存在する乱流の量が最小限に抑えられる。
【００３３】
図８ａ及び図８ｂに示す別の変形実施形態では、スロット状開口部は、ハンドドライヤのキャビティの長さＬ全体にわたって一定幅のものであるというわけではない。図８ａは、長さＬのキャビティ入口の平面図である。点線は、ユーザの手が前縁部３２ａと後縁部３２ｂとの間でキャビティ３０内に通常通り挿入されているときのユーザの手の位置及び形状を示している。図８ａに示す矢印８０は、キャビティ入口３２の縁部３２ａ，３２ｂに設けられたスロット状開口部６０，６２から放出される空気流の方向を示している。この実施形態では、後縁部３２ｂの湾曲部分３３は、キャビティ入口３２の中心線Ａ−Ａに関し対称であり、後縁部３２ｂの中央部分は、中心線から間隔を置いた位置のところよりも中心線のところの前縁部３２ａの方に近い。前縁部３２ａと後縁部３２ｂとの間の最小距離ｄは、中心線のところに位置する。前縁部３２ａと後縁部３２ｂとの間の距離は、各湾曲部分の中点のところで最大であり、Ｄである。図８ｂは、キャビティの後壁に設けられたスロット状開口部の形状を示している。
【００３４】
好ましくは、後壁のスロット状開口部の幅は、次第に変化し、キャビティ入口３２の中心線Ａ−Ａのところの開口部の中点に向かって増大している。
【００３５】
この変形実施形態では、開口部の幅の変化は、下側の壁から遠ざかる、曲線の形状をした、好ましくはスムーズに湾曲した形状のスロット状開口部の上側の壁の距離を変えることにより達成される。より好ましくは、曲線は、キャビティ入口３２の中心線Ａ−Ａに関して対称である。好ましくは、開口部の最大幅Ｒは、中心線Ａ−Ａのところに位置し、０．７ｍｍである。
【００３６】
好ましくは、幅ｒは、領域Ｆ及びＧでは実質的に一定であり、幅が変化する領域（図８ａ及び図８ｂの領域Ｅ）は、キャビティ入口の全長Ｌの半分以上を有し、最も好ましくは中央に位置する全長の半分である。好ましくは、ｒは、０．４ｍｍである。
【００３７】
ハンドドライヤの領域Ｅでは、スロット状開口部６２の幅は、領域Ｆ及びＧのスロット状開口部６２の幅よりも大きい。スロット状開口部６２のサイズの増大により、親指及び人差し指の領域のところのユーザの手の甲を乾燥させるための後側ダクト５２からの空気８０の量が多くなり、このことは、有利である。領域Ｅにおける多量の空気及び空気流により達成される運動量は、単一のパス中、洗浄後におけるユーザの手の甲上に見られる水の大部分を除去するのに十分である。
【００３８】
スロット状開口部６０，６２の壁が熱硬化性プラスチック材料、例えばメラミンの圧縮成形により成形可能であるということに鑑みて、ハンドドライヤの製造費は、公知の装置と比較して減少する。
【００３９】
立上り部材を設けたことにより、スロット状開口部の幅を一定値に保つことができ、それにより、スロット状開口部から放出される空気流が、スロット状開口部の長さに沿って実質的に均等であるようになる。
【００４０】
本発明は、上述の実施形態の細部そのものには限定されない。本発明の範囲を変更しない細部の改造及び変形は、当業者には明らかであろう。例えば、上述のスロット状開口部の形状を所望に応じて変えても良い。また、ユーザの手から除去された水を処分する手段を本発明の本質から逸脱しないで変更することができる。
【図面の簡単な説明】
【００４１】
【図１】ハンドドライヤの形態をした本体の乾燥装置の側面図である。
【図２】図１のハンドドライヤの斜視図である。
【図３】図１のハンドドライヤの断面側面図である。
【図４】図１のハンドドライヤの一部をなす空気ダクトの上端部を拡大して示す断面側面図である。
【図５】図１のハンドドライヤのキャビティの前壁に設けられたスロット状開口部を更に拡大して示す概略断面側面図である。
【図６】図１のハンドドライヤのキャビティの後壁に設けられたスロット状開口部を図５と同一の拡大尺度で示す概略断面側面図である。
【図７ａ】図１のハンドドライヤのキャビティに設けられたスロット状開口部の別の構成の概略断面側面図である。
【図７ｂ】図７ａのスロット状開口部内に設けられた立上り部材の１つの設計の平面図である。
【図７ｃ】図７ａのスロット状開口部内に設けられた立上り部材の別の設計の平面図である。
【図８ａ】本発明の第２の実施形態としてのハンドドライヤのキャビティ入口の平面図である。
【図８ｂ】図８ａのハンドドライヤのキャビティの後壁に設けられたスロット状開口部の正面図である。
【図１】
2009502388.tif 000003
【図２】
2009502388.tif 000004
【図３】
2009502388.tif 000005
【図４】
2009502388.tif 000006
【図５】
2009502388.tif 000007
【図６】
2009502388.tif 000008
【図７ａ】
2009502388.tif 000009
【図７ｂ】
2009502388.tif 000010
【図７ｃ】
2009502388.tif 000011
【図８ａ】
2009502388.tif 000012
【図８ｂ】
2009502388.tif 000013
【国際調査報告】
2009502388.tif 000014
2009502388.tif 000015
2009502388.tif 000016
2009502388.tif 000017